(57)【要約】      （修正有）【課題】コネクタのオス端とメス端との結合において、正確な位置合わせと安定性の下で複数回の挿抜が可能となるコネクタを提供する。【解決手段】メス端２０とオス端３０を含むコネクタであって、メス端はシェル、掛合パーツ２４、ハウジング及び第一電極を含み、オス端は本体、挿入パーツ３４、第一凸柱及び第二電極を含む。メス端の掛合パーツとオス端の挿入パーツとの結合により、第一回路板と第二回路板に電気的接続を行わせる。メス端の掛合パーツに外力を加えられると、オス端はメス端から自由に退出でき、メス端とオス端とは接続状態から分離状態へと切換わる。【選択図】図２
0003226010.tif 000002
【実用新案登録請求の範囲】
【請求項１】
第一回路板と第二回路板を接続するコネクタであり、メス端とオス端を含み、
前記メス端がシェル、掛合パーツ、ハウジング及び第一電極を含み、前記シェルが容置空間を形成することで前記掛合パーツ、前記ハウジング及び前記第一電極を設置し、前記ハウジングが第一挿入口、第二挿入口及び凸塊を形成し、前記第一挿入口が前記掛合パーツに対応し、前記第一電極が前記第二挿入口に対応して設置され、前記掛合パーツが押圧部、弾性部、開口部及び掛止部を有し、前記掛止部が前記押圧部と前記弾性部を連接し、且つ前記掛合パーツが挿入空間を形成し、前記開口部が前記凸塊に対応して設置され、前記押圧部が外力を受けることで前記弾性部に変形を生じさせ、並びに前記凸塊に前記開口部を経由して前記挿入空間へと進入させ、前記押圧部が前記外力を解除し、前記弾性部が変形から回復し前記凸塊に前記挿入空間から離脱させ、
前記オス端が本体、挿入パーツ、第一凸柱及び第二電極を含み、前記本体が前記挿入パーツ、前記第一凸柱及び前記第二電極を設置し、前記挿入パーツが結合部を有し、前記第一凸柱及び前記第二電極が前記本体から凸出し、
そのうち、前記オス端と前記メス端が結合し、前記挿入パーツが前記第一挿入口に挿入され、前記第二電極が前記第二挿入口に挿入されることで、前記第一電極が前記第二電極と電気的接続し、前記挿入パーツが前記結合部を通じて前記掛止部と結合し、前記挿入パーツが前記挿入空間に鎖錠されることを特徴とするコネクタ。
【請求項２】
前記結合部の開放側がストッパ塊を形成することで、前記オス端と前記メス端が結合する時、前記ストッパ塊が前記開口部及び前記掛止部と対応することを特徴とする請求項１に記載のコネクタ。
【請求項３】
前記ストッパ塊が前記結合部の開放側から前記本体の方向に向かって下向きに延伸することで、前記オス端とメス端が結合する時、前記ストッパ塊が前記掛止部による位置制限を受けることを特徴とする請求項２に記載のコネクタ。
【請求項４】
変形した前記弾性部が前記凸塊に、前記開口部を経由して前記挿入空間に進入させることで前記ストッパ塊に抵触させ、これにより前記ストッパ塊が前記掛止部から離脱して前記掛止部による位置制限を受けないことを特徴とする請求項３に記載のコネクタ。
【請求項５】
前記凸塊が更に弾性体を含み、前記弾性体が前記ストッパ塊に抵触することを特徴とする請求項４に記載のコネクタ。
【請求項６】
前記第一凸柱が前記第一挿入口に挿入されることで、前記挿入パーツと前記第二電極がそれぞれ前記挿入空間と前記第二挿入口に挿入されることを導引することを特徴とする請求項３に記載のコネクタ。
【請求項７】
前記メス端が更に第三挿入口を含み、前記オス端が更に第二凸柱を含み、前記第三挿入口の位置が前記第二凸柱の位置に対応し、前記第二凸柱が前記第三挿入口に沿って挿入され、前記オス端と前記メス端を結合させることを特徴とする請求項１に記載のコネクタ。
【請求項８】
前記第一凸柱が前記挿入パーツの下方に設置され、且つ前記第一凸柱が選択的に前記本体の両側の中間部分に設置されることを特徴とする請求項１に記載のコネクタ。
【請求項９】
前記第一電極、前記第二電極及び前記第二挿入口数量が二個より少なくないことを特徴とする請求項１に記載のコネクタ。
【請求項１０】
前記押圧部、前記弾性部、前記開口部及び前記掛止部が、前記掛合パーツへと一体成型されることを特徴とする請求項１に記載のコネクタ。
【考案の詳細な説明】
【技術分野】
【０００１】
本考案はコネクタの技術分野に属し、特に、導引、掛止及び掛止の解除を提供するコネクタである。
【背景技術】
【０００２】
従来より、コネクタのオス端とメス端とが結合する際、正確な位置合わせと安定性による接続が課題となっており、特に、オス端とメス端の接続が一回限りではない接続は、複数回の挿抜が考慮される。
【０００３】
これに鑑み、本考案は、従来のコネクタが抱える問題を克服できるコネクタを提供する。
【考案の概要】
【考案が解決しようとする課題】
【０００４】
本考案の第一の目的は、掛合パーツにより挿入パーツを掛止し、且つ外力を通じて掛合パーツを押圧し、挿入パーツを掛合パーツから離脱させることである。
【０００５】
本考案の二つ目の目的は、前記コネクタを通じ、オス端の凸柱をメス端の挿入口に挿入し、これによりオス端の電極とメス端の電極が容易な位置合わせにより掛合を行えることである。
【課題を解決するための手段】
【０００６】
上述の目的及びその他の目的を達成するために、本考案は第一回路板と第二回路板を接続するコネクタを提供する。コネクタはメス端とオス端を含む。メス端はシェル、掛合パーツ、ハウジング及び第一電極を含む。シェルは容置空間を形成することで掛合パーツ、ハウジング及び第一電極を設置し、又ハウジングは第一挿入口、第二挿入口及び凸塊を形成する。第一挿入口は掛合パーツに対応する。第一電極は第二挿入口に対応して設置され、又掛合パーツは押圧部、弾性部、開口部及び掛止部を有する。掛止部は押圧部と弾性部を連接し、且つ掛合パーツは挿入空間を形成する。開口部は凸塊に対応して設置される。押圧部は外力を受けることで弾性部に変形を生じさせ、並びに凸塊に開口部を経由して挿入空間に進入させることができ、押圧部が外力を解除し、弾性部は変形から回復し凸塊に挿入空間を離脱させる。オス端は本体、挿入パーツ、第一凸柱及び第二電極を含む。本体は挿入パーツ、第一凸柱及び第二電極を設置する。挿入パーツは結合部を含む。第一凸柱及び第二電極は本体から凸出する。そのうち、オス端とメス端が結合した後、挿入パーツが第一挿入口に挿入され、第二電極が第二挿入口に挿入されることで、第一電極が第二電極と電気的接続し、又挿入パーツは結合部を通じて掛止部と結合し、挿入パーツは挿入空間に鎖錠される。
【０００７】
周知の技術と比較すると、本考案により提供されるコネクタは、オス端とメス端を容易に電気的接続させ、並びに掛止構造を通じた安定した結合により脱落を防ぎ、更にコネクタが外力による作用を利用してオス端とメス端を容易に離脱させることができる。
【図面の簡単な説明】
【０００８】
【図１】本考案の第一実施例におけるコネクタの結合を示す図である。
【図２】本考案の図１におけるコネクタの構造を示す図である。
【図３】本考案のメス端及びその部品を詳細に示す図である。
【図４】本考案のオス端の構造を示す図である。
【図５】本考案の図１における挿入パーツと掛合パーツの結合を示す図である。
【考案を実施するための形態】
【０００９】
本考案の目的、特徴及び効果についての理解に資するために、以下に述べる具体的な実施例を通じて、並びに付属の図面と合わせて、本考案の詳細な説明をする。
【００１０】
本考案の要素の個数は、特に記載がない場合を除き、一つまたは少なくとも一つであり、且つ複数である場合を含むことを理解されたい。
【００１１】
本考案における「含む」や「備える」またそれらに類似する用語は、排他的ではない包括物を網羅することを意味する。例えば、複数の要素を含むユニットや構造、製品、装置は、本文に記載される要素に限らず、明確な記載がないが当該ユニットや構造、製品、装置が通常有しうる他の要素を包括することも出来る。これ以外に、特に記載がない場合を除き、本文中の「または」という用語は包括的意味合いとして用いられ、排他的意味合いを具備しない。
【００１２】
図１、即ち本考案の第一実施例におけるコネクタの結合を示す図を参照する。図１において、コネクタ１０はメス端２０の掛合パーツ２４とオス端３０の挿入パーツ３４との接続によって、第一回路板（図示していない）と第二回路板（図示していない）に信号及び電力の伝達を行わせることができる。
【００１３】
メス端２０は第一回路板と接続し、オス端３０は第二回路板と接続する。図２、即ち本考案の図１におけるオス端及びメス端の構造を示す図を合わせて参照する。図２において、メス端２０とオス端３０はそれぞれ二個の電極として説明されるが、他の実施例においては、電極の数量は二個に限定しないようにすることができ、一個または三個以上とすることができる。図２の上側の図面から分かるように、メス端２０は掛合パーツ２４を提供し、オス端３０は挿入パーツ３４を有する。
【００１４】
図３、本考案のメス端及びその部品を詳細に示す図を参照する。図３の上側の図面において、メス端２０はシェル２２、掛合パーツ２４、ハウジング２６及び第一電極２８を含む。図３の下側の図面は、本考案の図１におけるメス端２０のＡ−Ａ’断面構造図となる。
【００１５】
シェル２２は容置空間ＳＰを形成することで掛合パーツ２４、ハウジング２６及び第一電極２８を設置する。
【００１６】
ハウジング２６は第一挿入口２６２、第二挿入口２６４及び凸塊２６６を形成する。第一挿入口２６２は掛合パーツ２４に対応する。第一電極２８は第二挿入口２６４に対応して設置される。
【００１７】
掛合パーツ２４は押圧部２４２、弾性部２４４、開口部２４６及び掛止部２４８を含む。ここでは、押圧部２４２、弾性部２４４、開口部２４６及び掛止部２４８は一体成型とすることができる。他の実施例では、分離したユニットとすることもできる。掛止部２４８は押圧部２４２と弾性部２４４を連接し、且つ掛合パーツ２４は挿入空間ＩＳＰを形成する。開口部２４６は凸塊２６６に対応して設置される。押圧部２４２は外力Ｆ（例えばここで下に向かう作用力）を受けることで弾性部２４４に変形を生じさせ、且つ凸塊２６６に開口部２４６を経由して挿入空間ＩＳＰに進入させることができ、そして押圧部２４２が外力Ｆを解除（解放ともいう）すると、弾性部２４４は変形から回復し凸塊２６６に挿入空間ＩＳＰを離脱させる。
【００１８】
図４、即ち本考案のオス端の構造を示す図を参照する。図４において、オス端３０は本体３２、挿入パーツ３４、第一凸柱３６及び第二電極３８を含む。本体３２は挿入パーツ３４、第一凸柱３６及び第二電極３８を設置する。
【００１９】
挿入パーツ３４は結合部３２２を含み、結合部３２２の開放側はストッパ塊３２２２を形成する（図５を合わせて参照されるとよい）ことで、オス端３０とメス端２０が結合する時、ストッパ塊３２２２が開口部２４６及び掛止部２４８と対応する。そのうち、ストッパ塊３２２２は結合部３２２の開放側から本体３２の方向に向かって下向きに延伸することで、オス端３０とメス端２０が結合する時、ストッパ塊３２２２が掛止部２４８による位置制限を受ける。第一凸柱３６及び第二電極３８は本体３２から凸出し、ここでは第一凸柱３６が本体３２側辺の中央箇所に設置される。そのうち、第一凸柱３６は第一挿入口２６２に挿入されることで、挿入パーツ３４と第二電極３８それぞれによる挿入空間ＩＳＰと第二挿入口２６４への挿入を導引する。
【００２０】
オス端３０とメス端２０が結合した後、挿入パーツ３４が第一挿入口２６２に挿入され、第二電極３８が第二挿入口２６４に挿入されることで、第一電極２８が第二電極３８と電気的接続し、又挿入パーツ３４は結合部３２２を通じて掛止部２４８と結合し、挿入パーツ３４は挿入空間ＩＳＰに鎖錠される。オス端３０がメス端２０から退出しようとする際は、変形した弾性部２４４が凸塊２６６に、開口部２４６を経由して挿入空間ＩＳＰに進入させることでストッパ塊３２２２に抵触させ、これによりストッパ塊３２２２が掛止部２４８を離脱して掛止部２４８による位置制限を受けないようにする。
【００２１】
他の実施例において、凸塊２６６は更に弾性体（図示していない）を含む。この弾性体はストッパ塊３２２２に抵触する。押圧部２４２が外力Ｆによる押圧を受けた後、ストッパ塊３２２２は弾性体に抵触することで、挿入パーツ３２が挿入空間ＩＳＰに従って下向きに移動しないようになり、弾性体の弾力を通じて上向きに移動し、これにより挿入パーツ３２が挿入空間ＩＳＰから順調に退出するようになる。
【００２２】
他の実施例において、メス端２０は更に第三挿入口２６８を、オス端３０は更に第二凸柱４０を含むことができる。第三挿入口２６８の位置は第二凸柱４０の位置に対応し、第二凸柱４０は第三挿入口２６８に沿って挿入され、メス端２０とオス端３０を結合させる。
【００２３】
以上に本考案の好ましい実施例を説明したが、その目的は当業者の本考案の内容に対する理解に資する事であり、本考案を制限するものではない。考案は当業者であれば諸般の修飾が可能であるが、そのいずれも本考案の範囲を脱せず、いずれも後付の実用新案登録請求の範囲の保護範囲に含まれる。
【符号の説明】
【００２４】
１０      コネクタ
２０      メス端
２２      シェル
２４      掛合パーツ
２４２    押圧部
２４４    弾性部
２４６    開口部
２４８    掛止部
２６      ハウジング
２６２    第一挿入口
２６４    第二挿入口
２６６    凸塊
２６８    第三挿入口
２８      第一電極
３０      オス端
３２      本体
３２２    結合部
３２２２  ストッパ塊
３４      挿入パーツ
３６      第一凸柱
３８      第二電極
４０      第二凸柱
ＳＰ      容置空間
ＩＳＰ    挿入空間
Ｆ        外力
【図１】
0003226010.tif 000003
【図２】
0003226010.tif 000004
【図３】
0003226010.tif 000005
【図４】
0003226010.tif 000006
【図５】
0003226010.tif 000007